(57)【特許請求の範囲】
【請求項１】
頭部が地盤面より上方に延長された護岸壁体と、
該護岸壁体の頭部と接合一体化された、型枠兼用の強度部材を形成する底鋼板、及び、該底鋼板に溶接された、Ｈ形鋼あるいはＨ形鋼をウエブで切断したＴ形鋼からなる主桁を含む、複数の鋼製床版橋パネルと、
該床版橋パネル及び護岸壁体頭部を被覆するコンクリートと、
から構成される鋼・コンクリート合成ラーメン橋において、
前記護岸壁体として用いる連続地中壁の芯材及び床版橋パネルの主桁に、フランジの内面又は外面に突起を設けたＨ形鋼を用いることにより、鋼部材と被覆コンクリートとのずれを拘束して剛性、強度を向上させると共に、該Ｈ形鋼頭部を床版橋パネルと剛結一体化するための接合継手に用いたことを特徴とする鋼・コンクリート合成ラーメン橋。
【請求項２】
頭部が地盤面より上方に延長された護岸壁体と、
該護岸壁体の頭部と接合一体化された、型枠兼用の強度部材を形成する底鋼板、及び、該底鋼板に溶接された、Ｈ形鋼あるいはＨ形鋼をウエブで切断したＴ形鋼からなる主桁を含む、複数の鋼製床版橋パネルと、
該床版橋パネル及び護岸壁体頭部を被覆するコンクリートと、
から構成される鋼・コンクリート合成ラーメン橋において、
前記護岸壁体として用いる鋼管矢板の鋼管頭部の芯材及び床版橋パネルの主桁に、フランジの内面又は外面に突起を設けたＨ形鋼を用いることにより、鋼部材と被覆コンクリートとのずれを拘束して剛性、強度を向上させると共に、該Ｈ形鋼頭部を床版橋パネルと剛結一体化するための接合継手に用いたことを特徴とする鋼・コンクリート合成ラーメン橋。
【請求項３】
前記床版橋パネルの一端が、水平変位を吸収可能な支承を用いて可動とされている請求項１又は２に記載の鋼・コンクリート合成ラーメン橋。
【請求項４】
頭部が地盤面より上方に延長された壁体からなる護岸構造を橋梁の基礎とし、該護岸壁体の頭部と、型枠兼用の強度部材を形成する底鋼板にＨ形鋼あるいはＨ形鋼をウエブで切断したＴ形鋼から成る主桁を溶接して製作される複数の鋼製床版橋パネルを現地にて接合一体化した後、
該床版橋パネル及び護岸壁体頭部を被覆するようコンクリートを打設して、護岸壁体と床版橋パネルとを剛結するようにした鋼・コンクリート合成ラーメン橋の施工方法において、
前記護岸壁体として用いる連続地中壁の基礎と床版橋パネルを、床版橋パネルの底鋼板端部の下方に接合された、フランジ外面に突起を有するＨ形鋼を、連続地中壁のフランジ内面に突起を有するＨ形鋼と突起同士を対向させるよう嵌合させ、
該嵌合空隙部にコンクリートを現地にて打設、充填することにより、基礎と上部工を剛結構造とすることを特徴とする鋼・コンクリート合成ラーメン橋の施工方法。
【請求項５】
頭部が地盤面より上方に延長された壁体からなる護岸構造を橋梁の基礎とし、該護岸壁体の頭部と、型枠兼用の強度部材を形成する底鋼板にＨ形鋼あるいはＨ形鋼をウエブで切断したＴ形鋼から成る主桁を溶接して製作される複数の鋼製床版橋パネルを現地にて接合一体化した後、
該床版橋パネル及び護岸壁体頭部を被覆するようコンクリートを打設して、護岸壁体と床版橋パネルとを剛結するようにした鋼・コンクリート合成ラーメン橋の施工方法において、
前記護岸壁体として用いる鋼管矢板の杭頭内部に、床版橋パネルの底鋼板端部の下方に接合された、フランジ外面又は内面に突起を有するＨ形鋼を挿入し、
該挿入部の鋼管内部にコンクリートを現地にて打設、充填することにより、基礎と上部工を剛結構造とすることを特徴とする鋼・コンクリート合成ラーメン橋の施工方法。
【発明の詳細な説明】
【技術分野】
【０００１】
本究明は、中小河川上に建設される道路橋、歩道橋、鉄道橋、人工地盤、等に用いられる下部工（基礎及び橋脚）と上部工を剛結して成る鋼・コンクリート合成ラーメン橋、及び、その施工方法に関する。
【背景技術】
【０００２】
経済活性化の有力な手段の一つとして都市部の再生が取り上げられ、都市機能の向上や劣化更新が建設技術面でも大きな課題となっている。その一環として、鉄道の連続立体交差化や道路交通渋滞緩和のための立体交差化等の工事が計画、実施されているが、都市河川護岸の改修や、それに伴う橋梁の増設、改良も緊急を要する課題となっている。
【０００３】
特に、市街地での洪水対策と交通渋滞対策が同時に行える護岸改修と橋梁建設乃至改修は、その実施による経済効果が高いとされているが、これらの工事は、いずれも既存構造物が密集した地区での施工となることから、施工時に占有可能な面積が少なく、交通規制期間、区間を最小限とする急速施工可能な構造、施工法が必要とされていた。
【０００４】
本発明に関する先行技術として、特許文献１乃至３が知られている。
【０００５】
特許文献１の技術は、図１３（特許文献１の図１に対応）及び図１４（特許文献１の図２に対応）に示す如く、上フランジ１ａ上面に突起１ｂを有するＴ形鋼１を所要間隔に並列配置するとともに、該Ｔ形鋼１のウエブ１ｃの高さの１／２から１／３程度の高さを有するよう台形波状に折り曲げ形成した配力筋４の各上方水平部４ａを各突起付Ｔ形鋼１と直交して戴置するとともに、各突起付Ｔ形鋼１の上部フランジ１ａ上面よりも若干上方位置に各突起付Ｔ形鋼１と直交して上配力鉄筋３を配設したのち、下配力鉄筋４の各下方水平部４ｂまでコンクリート６を現地で打設した構造で、強度的に寄与しない引張り側コンクリート部を中空とすることにより、軽量で断面効率のよい合成床版橋を提供している。図において、５は発泡樹脂板である。
【０００６】
又、特許文献２の技術は、図１５（特許文献２の図１に対応）に示す如く、直線形鋼矢板１１の底板とＨ形鋼又はＣＴ形鋼の主桁部材１３とを接合一体化した橋軸方向部材１４を複数結合した鋼製パネル２１と、直線形鋼矢板１５と側板１６のウエブにＰＣ鋼材１８を貫通した後、場所打ちコンクリート２０を打設して構成するもので、橋軸直角方向の剛性が確保できるため、横桁１９の製作並びに現地接合の作業を無くすことができ、又、運搬コストの節減も可能な構造である。図において、１２は鋼矢板１１の爪部である。
【０００７】
又、特許文献３の技術は、図１６（特許文献３の図１に対応）に示す如く、下側Ｕ形鋼矢板１１Ａの底板とＨ形鋼の主桁部材１３とを接合一体化した橋軸方向部材１４と上側Ｕ形鋼矢板１１Ｂを複数結合して拡幅した鋼製床版２６と、半割Ｕ形鋼矢板１５´と側板１６とを接合した枠体部材１７とを一体化するとともに、主桁部材１３及び側板１６のウエブに横桁部材１９をボルト等で接合した後、場所打ちコンクリート２０を打設して構成するもので、鋼製床版組み立てに必要な面積を少なくすると共に、上下方向からの接合方式を採用することで鋼矢板スライド用の引き込み機材を不要とした構造である。図において、２１はメッシュ筋である。
【０００８】
又、本発明に関する他の先行技術として、非特許文献２のビームスラブ式ラーメン橋の橋脚構造が知られている。又、ビル等の建築構造物に用いられている従来の鉄筋コンクリート柱と鉄骨梁との接合構造が、特許文献４で知られている。
【０００９】
非特許文献２に記載の技術は、図１７に示す如く、Ｈ形鋼をウエブ中央で切断してＴ形断面形状になったもの３２を、同寸法のＨ形鋼３０のウエブ中央両側に溶接し、これをコンクリート３４で被覆してなるもので、鋼断面とコンクリート断面とは、合成しない、即ち一体化しない重ね梁構造として設計されている。図において、３６は柱の主鉄筋、３７は柱の帯鉄筋、３８は梁の主鉄筋、３９は梁のスターラップである。
【００１０】
特許文献４に記載の技術は、図１８（特許文献４の図５に対応）に示す如く、鉄骨梁４２と鉄筋コンクリート柱４０との結合を強化するために、部分的に鉄筋コンクリート柱内で用いられる構造であり、鉄骨梁４２が鉄筋コンクリート柱４０に埋設される部分に、柱の一方の外面から他方の外面まで鉄骨梁４２の上下面に鉄骨長手方向リブ４４を突出して取り付け、これを鉄筋コンクリート柱内に埋設する構造である。図において、４６は補強板、４８は主筋、４９はフープ筋である。
【００１１】
又、内リブＨ形鋼の合成効果については、特許文献５に、該Ｈ形鋼及び該Ｈ形鋼を用いた壁体に関して記載され、更に、非特許文献１においても、コンクリートと高い合成効果が得られることが確認されている。
【００１２】
【特許文献１】実公平７−３９９２７号公報
【特許文献２】特開平９−２２１７１７号公報
【特許文献３】特開平１１−２２９３２９号公報
【特許文献４】特開平８−２７８９４号公報
【特許文献５】特開２００５−９８０５９号公報
【非特許文献１】「ＳＣ合成地中連続壁の基礎的曲げ性状」（土木学会第５８回年次学術講演会、V−２４４、４８７〜４８８頁、２００３年９月）
【非特許文献２】「ＳＲＣ構造ディテール集」（財団法人鉄道総合技術研究所、１９８７年２月）
【発明の開示】
【発明が解決しようとする課題】
【００１３】
上記都市再生のための工事は、既存市街地内での施工となるため以下の課題を有する。
【００１４】
（１）既存構造物が密集していることから、施工のため占有可能な場所の確保が困難。
【００１５】
（２）建設資材の搬入路が狭隘な道路になることが多い。
【００１６】
（３）建設機械の据付場所、面積が限定されることが多いことから、比較的小型の揚重機を用いた、小型部材の組み合わせによる現地架設となる場合が多い。
【００１７】
又、都市河川を渡河する橋梁や人工地盤の建設に関しては、上記加え以下の課題が挙げられる。
【００１８】
（４）河川の水位が高く、既存道路路面との間隔が狭くなることから、桁高の低い上部工形式を必要とする。
【００１９】
（５）（４）の特徴に付随して、上部工施工のための支保工、型枠の設置が困難なことが多い。
【００２０】
（６）護岸後背の下部工設置場所が狭隘で、しかも施工のための道路占有面積を大きくとれない。
【００２１】
従来の技術は、いずれも、このような要請を満足することができなかった。
【００２２】
本発明は、都市河川を渡河する橋梁や人工地盤建設上の上記課題を解決し、狭隘な場所において河川護岸の改修と下部工の建設を能率よく行うと共に、比較的小型の揚重機のみで河川内での支保工や型枠工を必要とせず、更に、剛結部の施工能率向上、強度確保が容易な構造と、基礎と上部工の剛結を容易に行える施工方法を提供するものである。
【課題を解決するための手段】
【００２３】
本発明は、頭部が地盤面より上方に延長された護岸壁体と、該護岸壁体の頭部と接合一体化された、型枠兼用の強度部材を形成する底鋼板、及び、該底鋼板に溶接された、Ｈ形鋼あるいはＨ形鋼をウエブで切断したＴ形鋼からなる主桁を含む、複数の鋼製床版橋パネルと、該床版橋パネル及び護岸壁体頭部を被覆するコンクリートと、から構成される鋼・コンクリート合成ラーメン橋において、前記護岸壁体として用いる連続地中壁の芯材及び床版橋パネルの主桁に、フランジの内面又は外面に突起を設けたＨ形鋼を用いることにより、鋼部材と被覆コンクリートとのずれを拘束して剛性、強度を向上させると共に、該Ｈ形鋼頭部を床版橋パネルと剛結一体化するための接合継手に用いることにより、前記課題を解決したものである。
【００２５】
又、前記鋼・コンクリート合成ラーメン橋において、前記護岸壁体として鋼管矢板を用いる場合、その頭部の芯材及び床版橋パネルの主桁に、フランジの内面又は外面に突起を設けたＨ形鋼を用いることにより、鋼部材と被覆コンクリートとのずれを拘束して剛性、強度を向上させると共に、該Ｈ形鋼頭部を床版橋パネルと剛結一体化するための接合継手に用いることにより、前記課題を解決したものである。
【００２６】
又、前記床版橋パネルの一端を、水平変位を吸収可能な支承を用いて可動として、形状が複雑な場合の断面補強を不要としたものである。
【００２７】
本発明は、又、河川護岸の改修と渡河橋梁や河川上空人工地盤の建設を同時に効率良く行うことを可能とするため、連続地中壁あるいは鋼管矢板壁等の壁体からなる護岸構造を橋梁あるいは人工地盤の基礎と兼用すると共に、該護岸壁体の頭部を地盤面より上方に延長し、その頭部に型枠兼用の強度部材を形成する底鋼板にＨ形鋼あるいはＨ形鋼をウエブで切断したＴ形鋼から成る主桁を溶接して製作される床版橋パネルを搭載し、該床版橋パネル及び護岸壁体の頭部を被覆するようコンクリートを打設することにより、護岸壁体と床版橋パネルとの接合部を剛結し、更に、前記護岸壁体として連続地中壁を用いる場合、その基礎と床版橋パネルとの接合部を、床版橋パネルの底鋼板端部の下方に溶接された、フランジ外面に突起を有するＨ形鋼を、連続地中壁のフランジ内面に突起を有するＨ形鋼と突起同士を対向させるよう嵌合させ、該嵌合空隙部にコンクリートを現地にて打設、充填することにより、前記課題を解決したものである。
【００２９】
あるいは、前記護岸壁体として鋼管矢板を用いる場合、その杭頭内部に、床版橋パネルの底鋼板端部の下方に接合された、フランジ外面又は内面に突起を有するＨ形鋼を挿入し、該挿入部の鋼管内部にコンクリートを現地にて打設、充填することにより、前記課題を解決したものである。
【発明の効果】
【００３０】
本発明の効果を以下に示す。
【００３１】
（１）鉄筋を芯材とした連続地中壁よりも剛性が高く壁厚が小さく構築可能な、フランジ内面に突起を有するＨ形鋼を芯材として用いた連続地中壁を、河川護岸と該河川を渡河する橋梁や人工地盤の基礎工と兼用することにより、狭隘な建設場所での基礎工の建設を省略でき、工期、工費の削減が可能となる。
【００３２】
（２）上記護岸兼用の基礎工となる連続地中壁のフランジ内面突起付きＨ形鋼芯材と、上部工の桁端に設置されたフランジ外面突起付きＨ形鋼の突起同士を対向した状態にて嵌合し、対向間の隙間にコンクリートを充填することにより基礎工と上部工を一体、剛結可能となることから、剛結部の施工精度の管理が容易で、現地での煩わしい結合作業が著しく軽減される。
【００３３】
（３）護岸兼用の基礎工として鋼管矢板壁を用いる場合、予め床版橋パネル端部の下方に取り付けられたフランジ外面又は内面突起付きＨ形鋼を鋼管矢板頭部の鋼管内に挿入した後、鋼管内部にコンクリートを打設することにより上部工と下部工を剛結可能なことから、現地での施工時間が著しく短縮される。
【００３４】
（４）型枠兼用の強度部材を形成する底鋼板に、Ｈ形鋼あるいはＨ形鋼をウエブで切断したＴ形鋼から成る主桁を溶接して製作される複数の鋼製床版橋パネルを用い、該鋼製床版橋パネルの桁端を、護岸兼用基礎工とを上記方法により現地で剛結一体化することにより、河川内での支保工、型枠工を不要とした桁高の低い橋梁乃至人工地盤を短工期で施工可能となる。
【発明を実施するための最良の形態】
【００３５】
以下、本発明の実施形態を、図面を参照しながら説明する。
【００３６】
図１は、本発明の第１実施形態として、護岸壁体に連続地中壁を用いた場合の河川を跨ぐ合成ラーメン橋の構造例を示す。又、図２乃至７は、その施工手順例を示す。
【００３７】
都市河川を渡河する橋梁建設の従来技術では、河川の護岸と橋梁基礎は別々の構造物として構築されるが、護岸背面に橋梁基礎の構築できる空間の確保が難しい場合が多く、加えて河川の水位が高いことから橋梁の桁高が大きくとれない等の問題点が多く、橋梁の建設が進まないことがあった。
【００３８】
本発明の第１実施形態では、河川５０の護岸を、剛性の高いフランジ内面に突起６４を有するＨ形鋼６２を芯材とする連続地中壁６０により構築し、Ｈ形鋼芯材６２の頭部を鉛直上方に突出させた状態で、型枠兼用の下フランジ材となる底鋼板７２に、フランジ内面に突起７６を有するＨ形鋼７４を溶接して成る主桁の長手方向の両端に、フランジ外面に突起８０を有するＨ形鋼７８が鉛直下方に溶接された上部工を、該フランジ外面突起付きＨ形鋼７８が連続地中壁芯材Ｈ形鋼６２の間に嵌合するよう設置した後、該嵌合部と主桁を被覆するようコンクリート８２、８４を打設し、連続地中壁基礎と上部工を剛結することにより、基礎の構築のための護岸後背地の確保を不要とすると共に、桁高の低い橋梁を提供している。図において、５２は川床、５４は背面土である。
【００３９】
以下、図２から図７に従い、本実施形態の施工手順の詳細を説明する。図２は、都市河川５０の既存の護岸５６を改修し、河川幅を拡幅するとともに護岸の強度補強を行うため、該既存護岸５６の背後に連続地中壁護岸６０を構築した状態を示す。ここで、連続地中壁護岸６０には、特許文献５に示される、フランジ内面に突起６４を有するＨ形鋼６２を芯材として用いた構造を用いることにより、連続地中壁６０の壁厚を極力小さくし、曲げ剛性及び基礎構造としての鉛直支持力を高め、河川幅を拡幅し強度補強も行うことが可能となる。
【００４０】
連続地中壁護岸６０を構築した後、図３に示す如く、既存護岸５６及びその背面土５８を撤去し、河川拡幅と護岸改修を行う。
【００４１】
その後、図３及び４に示す如く、現地の施工条件に応じた幅に工場で製作された鋼製床版橋パネル７０を現地に搬入し、桁端の鉛直下方に接合された、フランジ外面に突起８０を有するＨ形鋼７８を、連続地中壁６０のフランジ内面に突起６４を有する芯材６２の間に、前記フランジ外面突起８０と該フランジ内面突起６４とを対向させるように挿入し、橋面の施工基面を調整し設置する。
【００４２】
図５は、全ての鋼製床版橋パネル７０を設置した状況を示す。
【００４３】
図６は、図５に示した鋼製床版橋パネル７０の桁端に鉛直下方に接合された、フランジ外面に突起８０を有するＨ形鋼７８と、連続地中壁６０のフランジ内面に突起６４を有する芯材６２の嵌合部に、コンクリート８２を打設、充填し、連続地中壁護岸６０と合成床版橋パネル７０を剛結した状態を示す。
【００４４】
図７は、床版橋パネル７０を型枠として、コンクリート８４を打設し、連続地中壁護岸６０を基礎とした鋼・コンクリート合成床版橋を、その頭部に剛結して構築される合成ラーメン橋、乃至人工地盤の完成状態を示す。
【００４５】
本実施形態では、床版橋全幅を一体施工する場合を示したが、幅方向に分割施工することにより部分供用を早めることが可能である。
【００４６】
又、本実施例では上部工としてフランジ内面に突起を有するＨ形鋼乃至Ｈ形鋼をウエブ中央で切断したＴ形鋼を型枠兼用の構造材である底鋼板に溶接して成る主桁を用いたが、特許文献１に示された、フランジ外面に突起を有するＨ形鋼乃至Ｈ形鋼をウエブ中央にて切断したＴ形鋼を主桁とした床版橋パネルや、フランジに突起の無いＨ形鋼乃至Ｈ形鋼をウエブ中央にて切断したＴ形鋼に、スタッド等のコンクリートとのずれ止め材を溶接した主桁を有する床版橋パネルを用いても同様の効果が得られる。なお、ウエブの切断位置は、ウエブ中央に限定されない。
【００４７】
図８は、本発明の第２実施形態である護岸壁体に鋼管矢板を用いた場合を示す。
【００４８】
鋼管矢板壁と上部工の結合は、図９にその部分図を示す如く、型枠兼用の下フランジ材となる底鋼板７２に、フランジ内面に突起７６を有するＨ形鋼７４を溶接して成る主桁の長手方向の両端に、フランジ外面に突起８０を有するＨ形鋼７８が鉛直下方に溶接された上部工を、該フランジ外面突起付きＨ形鋼７８の先端（図の下端）が鋼管矢板９０の鋼管内部に挿入するよう設置した後、鋼管内部と主桁を被覆するようコンクリート９２を打設し、連続地中壁基礎と上部工を剛結することが可能である。
【００４９】
しかし、鋼管矢板頭部のラーメン橋隅角部としての剛性が不足することが多いため、図１０に示す第２実施形態の如く、鋼管矢板９０の鋼管内にフランジ内面に突起９６を有するＨ形鋼９４を挿入し、鋼管内部に予めコンクリート９２を打設、充填することにより、鋼管頭部を補剛すると共に、該フランジ内面に突起９６を有するＨ形鋼９４の間に合成床版橋桁端部に鉛直下方に取り付けられたフランジ外面突起付きＨ形鋼７８が嵌合するよう設置した後、該嵌合部と主桁を被覆するようコンクリート８２、８４を打設することにより、現地施工性を損なうことなく所要の剛性を得ることを可能とすることができる。
【００５０】
上記実施形態では、図１１に示す如く、河川両岸の高剛性護岸の頭部で床版橋を剛結する立体ラーメン形式の構造及び施工法を示した。該構造では、図１１に示したように、両桁端に支承を有する単純支持構造に比べ、上部工である合成床版橋部の曲げモーメントＭが小さくできることから、桁高を抑え、摺り付け道路との縦断勾配を緩やかにすることが可能である。
【００５１】
しかし、河川の平面線形が複雑な場合や、床版橋自体が複雑な形状とする必要がある場合は、温度変化やコンクリートの収縮により構造物に生じる応力が複雑で且つ局部的に大きくなることから、温度応力やコンクリート収縮応力に耐えるように断面補強が必要となる。この場合には、図１２に示す如く、どちらか一端あるいは両端を高剛性護岸と剛結せず、ゴム支承などの複雑な水平変位を吸収可能な可動支承１００を用いて可動とすることにより、この問題を解決することが可能である。この場合、上部工の曲げモーメントＭは図１２に示した如く両端剛結に比較して大きくなり、桁高が高くなることから両者の構造比較によりどちらが経済的か評価する必要がある。
【００５２】
なお、前記実施形態においては、本発明が、河川の橋梁に用いられたが、本発明の適用範囲はこれに限定されず、歩道橋、人工地盤等にも用いることが可能である。
【図面の簡単な説明】
【００５３】
【図１】本発明の第１実施形態の構成を示す分解斜視図
【図２】同じく施工工程の既存護岸の後背に連続地中壁護岸を構築した状態を示す斜視図
【図３】同じく既存護岸及びその背面土を撤去した状態を示す斜視図
【図４】同じく床版橋パネルの一部を架設した状態を示す斜視図
【図５】同じく全ての床版橋パネルを架設した状態を示す斜視図
【図６】同じく連続地中壁護岸の頭部にコンクリートを打設した状態を示す斜視図
【図７】同じく床版橋パネルの全体にコンクリートを打設した状態を示す斜視図
【図８】本発明の第２実施形態の構成を示す分解斜視図
【図９】第２実施形態の変形例の要部構成を示す斜視図
【図１０】第２実施形態の要部構成を示す斜視図
【図１１】本発明の床版橋パネルの両端を固定した例を示す断面図
【図１２】同じく一端を固定し、他端を可動とした例を示す断面図
【図１３】特許文献１に記載された従来の形鋼を用いた合成床版橋の要部を示す断面図
【図１４】同じく図１３のＡ−Ａ線に沿う横断面図
【図１５】特許文献２に記載された従来の形鋼を用いた合成床版橋の要部を示す斜視図
【図１６】特許文献３に記載された従来の形鋼を用いた合成床版橋の要部を示す斜視図
【図１７】従来の形鋼を用いた柱の一例を示す水平断面図
【図１８】従来の鉄筋コンクリート柱と鉄骨梁との接合構造の一例を示す斜視図
【符号の説明】
【００５４】
５０…河川
６０…連続地中壁護岸
６２，７４，７８，９４…Ｈ形鋼
６４，７６，８０、９６…突起
７０…鋼製床版橋パネル
７２…底鋼板
８２，８４，９２…コンクリート
１００…可動支承
【図１】
0004519023.tif 000002
【図２】
0004519023.tif 000003
【図３】
0004519023.tif 000004
【図４】
0004519023.tif 000005
【図５】
0004519023.tif 000006
【図６】
0004519023.tif 000007
【図７】
0004519023.tif 000008
【図８】
0004519023.tif 000009
【図９】
0004519023.tif 000010
【図１０】
0004519023.tif 000011
【図１１】
0004519023.tif 000012
【図１２】
0004519023.tif 000013
【図１３】
0004519023.tif 000014
【図１４】
0004519023.tif 000015
【図１５】
0004519023.tif 000016
【図１６】
0004519023.tif 000017
【図１７】
0004519023.tif 000018
【図１８】
0004519023.tif 000019